(57)【要約】      （修正有）【課題】可能な限り簡易な構成でカッター機能を付与できるようにし製造コストを低減できるようにするとともに操作性も向上させるカッター機能付き鋏を提供する。【解決手段】一方刃１１が形成された一方ブレード１２に一方柄１３を連設した一方鋏体１０と、他方刃２１が形成された他方ブレード２２に他方柄２３を連設した他方鋏体２０とを回動軸３０により回動可能に軸支し、一方柄及び他方柄を閉位置Ｘから開方向に付勢するスプリングを備え、回動軸３０を一方ブレードに固定し、他方ブレードに、回動軸が回動可能に軸支される軸受孔３３と、軸受孔に連設され閉位置において一方鋏体を他方鋏体に対して一方鋏体の長手方向に沿って後退位置から進出位置に相対的に進出移動可能にする回動軸が通過可能な長孔３４とを形成し、一方鋏体の後退位置で開動作を許容し一方鋏体の進出位置で開動作を阻止するロック機構５０を備えた。【選択図】図４
0003224490.tif 000002
【実用新案登録請求の範囲】
【請求項１】
一方刃が形成された一方ブレードに一方柄を連設した一方鋏体と、他方刃が形成された他方ブレードに他方柄を連設した他方鋏体とを備え、前記一方ブレードの基端部及び前記他方ブレードの基端部を回動軸により回動可能に軸支し、前記一方柄及び他方柄を開閉させることにより前記一方ブレード及び他方ブレードを開閉させて前記一方刃及び他方刃による鋏切り運動を行わせるとともに、前記一方柄と他方柄との閉位置で前記一方刃の先端部を前記他方刃の先端部から露出させてカッターとして使用可能にしたカッター機能付き鋏であって、
前記一方柄及び他方柄を閉位置から開方向に付勢するスプリングを備え、
前記一方ブレードの基端部及び他方ブレードの基端部の何れかに、前記回動軸が回動可能に軸支される軸受孔と、前記軸受孔に連設され前記閉位置において前記一方鋏体を前記他方鋏体に対して前記一方鋏体の長手方向に沿って後退位置から進出位置に相対的に進出移動可能にする前記回動軸が通過可能な長孔とを形成し、前記一方鋏体の進出位置で前記一方鋏体の一方刃の先端部を前記他方鋏体の他方刃の先端部より突出させて露出させるようにし、
前記一方鋏体の後退位置で前記スプリングの付勢力による前記一方柄及び他方柄の開動作を許容し前記一方鋏体の進出位置で前記スプリングの付勢力による前記一方柄及び他方柄の開動作を阻止するロック機構を備えたことを特徴とするカッター機能付き鋏。
【請求項２】
前記回動軸を前記一方ブレードの基端部及び他方ブレードの基端部の何れか一方に固定し、前記一方ブレードの基端部及び他方ブレードの基端部の何れか他方に、前記軸受孔及び長孔を形成し、前記回動軸を、前記一方鋏体の進出移動方向に沿う方向の大径部と、前記一方鋏体の進出移動方向に直交する方向の小径部とを備えて構成し、前記軸受孔を、前記大径部が回動可能になる形状に形成し、前記長孔を、前記大径部の通過を阻止し前記小径部の通過を許容する形状に形成したことを特徴とする請求項１記載のカッター機能付き鋏。
【請求項３】
前記軸受孔に、前記一方柄及び他方柄の所定の開位置で前記回動軸の小径部に衝止し前記一方柄及び他方柄の開動作を停止させるストッパを形成したことを特徴とする請求項２記載のカッター機能付き鋏。
【請求項４】
前記ロック機構を、前記一方柄及び他方柄の何れか一方に設けられる係合部と、前記一方柄及び他方柄の何れか他方に設けられ、前記一方鋏体の進出位置で前記係合部に係合し後退位置で係合が解除される被係合部とを備えて構成したことを特徴とする請求項１に記載のカッター機能付き鋏。
【請求項５】
前記一方柄及び他方柄の前記係合部及び被係合部の形成部位を前記閉位置で互いに接合する樹脂で形成し、前記係合部を、前記一方柄及び他方柄の互いに接合する表面に突設された脚部と、前記脚部の先端に略直角に連設されるフックとを備えて構成し、前記被係合部を、前記一方鋏体の後退位置で前記係合部が没入する凹部と、前記凹部に連続し前記一方鋏体の進出過程で前記フックが挿入される凹所と、前記凹所を覆い前記一方鋏体の進出過程で前記フックと前記フックに対面する表面とで挾持される板部とを備えて構成したことを特徴とする請求項４記載のカッター機能付き鋏。
【請求項６】
前記一方柄及び他方柄の互いに対面する何れか一方の表面に凸部を設け、前記一方柄及び他方柄の互いに対面する何れか他方の表面に前記一方鋏体の後退位置及び進出位置間で前記凸部をガイドするガイド凹部を設けたことを特徴とする請求項５記載のカッター機能付き鋏。
【請求項７】
前記スプリングを、線状のばね部材で一体形成され、前記回動軸の前記一方ブレードの基端部及び他方ブレードの基端部の何れか一方の外側端部に巻回される支持部と、前記支持部から開方向に付勢された一対のアーム部とを備えて構成し、前記一方のアーム部の先端部を前記一方柄の回動軸側に形成した一方首部に長手方向に沿って移動可能に巻回し、前記他方のアーム部の先端部を前記他方柄の回動軸側に形成した他方首部に長手方向に沿って移動可能に巻回したことを特徴とする請求項１に記載のカッター機能付き鋏。
【請求項８】
前記一方柄と他方柄との閉位置で、前記一方ブレード及び他方ブレードを覆う鞘を備えたことを特徴とする請求項１に記載のカッター機能付き鋏。
【考案の詳細な説明】
【技術分野】
【０００１】
本考案は、一方刃を有した一方鋏体と他方刃を有した他方鋏体とを回動可能に軸支して開閉により一方刃及び他方刃による鋏切り運動を行わせるとともに一方刃の先端部を他方刃の先端部から露出させてカッターとして使用可能にしたカッター機能付き鋏に関する。
【背景技術】
【０００２】
従来から、一方刃を有した一方鋏体と他方刃を有した他方鋏体とを回動可能に軸支して開閉により一方刃及び他方刃による鋏切り運動を行わせる鋏において、一方鋏体と他方鋏体とを分離し、何れかをカッターとして用いるようにした技術が知られている（例えば、特許第６４５６１１７号公報，特開２０１６−９６９９５号公報参照）。ところが、この鋏は、一方鋏体と他方鋏体とを逐一分離しなければならないので、作業性が悪いという問題がある。
【０００３】
これを解決するために、従来においては、一方鋏体と他方鋏体とを分離せずに、一方刃の先端部を他方刃の先端部から露出させてカッターとして使用可能にしたカッター機能付き鋏の技術も知られている（例えば、特開２０１７−５１６０９号公報，特開２０１７-５１２７０号公報参照）。このカッター機能付き鋏は、一方鋏体と他方鋏体の柄側に、一方刃と他方刃との開度調整を行い、一方刃の先端部を他方刃の先端部の峰側から突出させて露出させカッターとして使用可能にしたカッターモードと、一方刃の先端部を他方刃の先端部の峰側から引っ込めて一方刃及び他方刃による鋏切り運動を行わせるハサミモードと、一方鋏体及び他方鋏体の開閉をロックするロックモードに切り替えるための切替え機構を設けて構成されている。この切替え機構は、作動子やこれをガイドする案内部などを特別に設けているので、機構が極めて複雑になっている。
【先行技術文献】
【特許文献】
【０００４】
【特許文献１】特許第６４５６１１７号公報
【特許文献２】特開２０１６−９６９９５号公報
【特許文献３】特開２０１７−５１６０９号公報
【特許文献４】特開２０１７-５１２７０号公報
【考案の概要】
【考案が解決しようとする課題】
【０００５】
ところで、この従来のカッター機能付き鋏にあっては、一方鋏体と他方鋏体の柄側に、一方刃と他方刃との開度調整を行う切替え機構を設けており、その機構は、作動子やこれをガイドする案内部などを特別に設けているので、機構が極めて複雑になっており、コスト高になっているという問題があった。
本考案はこのような問題点に鑑みてなされたもので、可能な限り簡易な構成でカッター機能を付与できるようにし製造コストを低減できるようにするとともに操作性も向上させるようにしたカッター機能付き鋏を提供することを課題とする。
【課題を解決するための手段】
【０００６】
このような目的を達成するための本考案のカッター機能付き鋏は、請求項１の考案にあっては、一方刃が形成された一方ブレードに一方柄を連設した一方鋏体と、他方刃が形成された他方ブレードに他方柄を連設した他方鋏体とを備え、前記一方ブレードの基端部及び前記他方ブレードの基端部を回動軸により回動可能に軸支し、前記一方柄及び他方柄を開閉させることにより前記一方ブレード及び他方ブレードを開閉させて前記一方刃及び他方刃による鋏切り運動を行わせるとともに、前記一方柄と他方柄との閉位置で前記一方刃の先端部を前記他方刃の先端部から露出させてカッターとして使用可能にしたカッター機能付き鋏であって、
前記一方柄及び他方柄を閉位置から開方向に付勢するスプリングを備え、
前記一方ブレードの基端部及び他方ブレードの基端部の何れかに、前記回動軸が回動可能に軸支される軸受孔と、前記軸受孔に連設され前記閉位置において前記一方鋏体を前記他方鋏体に対して前記一方鋏体の長手方向に沿って後退位置から進出位置に相対的に進出移動可能にする前記回動軸が通過可能な長孔とを形成し、前記一方鋏体の進出位置で前記一方鋏体の一方刃の先端部を前記他方鋏体の他方刃の先端部より突出させて露出させるようにし、
前記一方鋏体の後退位置で前記スプリングの付勢力による前記一方柄及び他方柄の開動作を許容し前記一方鋏体の進出位置で前記スプリングの付勢力による前記一方柄及び他方柄の開動作を阻止するロック機構を備えた構成としている。
【０００７】
これにより、鋏として用いるときは、一方鋏体を他方鋏体に対して後退位置に位置させておく。常態時においては、回動軸が軸受孔に軸支され、スプリングの付勢力によって一方柄及び他方柄が閉位置から開方向に付勢され、ロック機構はスプリングの付勢力による一方柄及び他方柄の開動作を許容するので、一方ブレード及び他方ブレードは開かれる。  この状態で、一方柄及び他方柄をスプリングの付勢力に抗して閉じ、スプリングの付勢力により開くことを繰り返すことにより、一方ブレード及び他方ブレードを開閉させて一方刃及び他方刃による鋏切り運動を行わせることができる。
この場合、スプリングの付勢力により一方柄及び他方柄を開いて一方ブレード及び他方ブレードを開くことができるので、開動作を容易に行わせることができ、操作性が極めて良くなる。
【０００８】
次に、カッターとして用いるときは、一方柄及び他方柄をスプリングの付勢力に抗して閉じて閉位置に位置させる。この状態で、一方鋏体を他方鋏体に対して進出位置に相対的に進出移動させる。この場合、回動軸を長孔が通過していき、一方鋏体の一方刃の先端部が他方鋏体の他方刃の先端部より突出させられて露出させられる。
また、ロック機構により、スプリングの付勢力による一方柄及び他方柄の開動作が阻止される。そのため、一方柄及び他方柄を把持して、一方鋏体の一方刃の先端部をカッターとして使用することができる。
【０００９】
このように、長孔を加工して一方鋏体を他方鋏体に対して進出させる簡易な構成でカッター機能を付与できるようにしたので、構造を極めて簡単にすることができ、製造コストを低減させることがでできる。また、一方鋏体を他方鋏体に対して進出させる簡易な操作でカッター機能を付与できるので、操作性も向上させることができる。
【００１０】
また、請求項２の考案は、前記回動軸を前記一方ブレードの基端部及び他方ブレードの基端部の何れか一方に固定し、前記一方ブレードの基端部及び他方ブレードの基端部の何れか他方に、前記軸受孔及び長孔を形成し、前記回動軸を、前記一方鋏体の進出移動方向に沿う方向の大径部と、前記一方鋏体の進出移動方向に直交する方向の小径部とを備えて構成し、前記軸受孔を、前記大径部が回動可能になる形状に形成し、前記長孔を、前記大径部の通過を阻止し前記小径部の通過を許容する形状に形成した構成としている。
これにより、回動軸が長孔を通過できるのは、一方柄が閉位置にある状態で可能になる。そのため、一方柄及び他方柄の開閉過程では、一方鋏体を他方鋏体に対して進出移動させようとしても回動軸の大径部が長孔に入り込まないので、一方鋏体が進出移動することがなく、その結果、安定した鋏切り運動を行わせることができる。
【００１１】
更に、請求項３の考案は、前記軸受孔に、前記一方柄及び他方柄の所定の開位置で前記回動軸の小径部に衝止し前記一方柄及び他方柄の開動作を停止させるストッパを形成した構成としている。
これにより、鋏として用いるときにおいて、スプリングの付勢力によって、一方柄及び他方柄は開動作を行うが、所定の開位置で回動軸の小径部がストッパに衝止し、一方柄及び他方柄の開動作が停止させられることから、一方ブレード及び他方ブレードが開きすぎることがなく、そのため、鋏切り運動を円滑に行わせることができる。
【００１２】
更にまた、請求項４の考案は、前記ロック機構を、前記一方柄及び他方柄の何れか一方に設けられる係合部と、前記一方柄及び他方柄の何れか他方に設けられ、前記一方鋏体の進出位置で前記係合部に係合し後退位置で係合が解除される被係合部とを備えて構成している。係合部と被係合部との係合及び係合解除によりロック及びロック解除を行うので、ロック機構の構造を簡易にすることができる。
【００１３】
また、請求項５の考案は、前記一方柄及び他方柄の前記係合部及び被係合部の形成部位を前記閉位置で互いに接合する樹脂で形成し、前記係合部を、前記一方柄及び他方柄の互いに接合する表面に突設された脚部と、前記脚部の先端に略直角に連設されるフックとを備えて構成し、前記被係合部を、前記一方鋏体の後退位置で前記係合部が没入する凹部と、前記凹部に連続し前記一方鋏体の進出過程で前記フックが挿入される凹所と、前記凹所を覆い前記一方鋏体の進出過程で前記フックと前記フックに対面する表面とで挾持される板部とを備えて構成している。ロック機構の構造を簡易にすることができるとともに、ロックを確実に行うことができる。
【００１４】
更に、請求項６の考案は、前記一方柄及び他方柄の互いに対面する何れか一方の表面に凸部を設け、前記一方柄及び他方柄の互いに対面する何れか他方の表面に前記一方鋏体の後退位置及び進出位置間で前記凸部をガイドするガイド凹部を設けた構成としている。これにより、一方鋏体の進出過程で、凸部がガイド凹部にガイドされるので、進出移動をぐらつくことなく円滑に行うことができる。
【００１５】
更にまた、請求項７の考案は、前記スプリングを、線状のばね部材で形成され、前記回動軸の前記一方ブレードの基端部及び他方ブレードの基端部の何れか一方の外側端部に巻回される支持部と、前記支持部から開方向に付勢された一対のアーム部とを備えて構成し、前記一方のアーム部の先端部を前記一方柄の回動軸側に形成した一方首部に長手方向に沿って移動可能に巻回し、前記他方のアーム部の先端部を前記他方柄の回動軸側に形成した他方首部に長手方向に沿って移動可能に巻回した構成としている。これにより、一方のアーム部の先端部が一方首部に長手方向に沿って移動可能になっており、他方のアーム部の先端部が他方首部に長手方向に沿って移動可能になっているので、一方鋏体の進出過程で、一方鋏体と他方鋏体とが相対的に進出方向にずれても、スプリングに無理な力がかかることがなく、動作を円滑に行わせることができる。
【００１６】
また、請求項８の考案は、前記一方柄と他方柄との閉位置で、前記一方ブレード及び他方ブレードを覆う鞘を備えた構成としている。スプリングの付勢力によって一方ブレード及び他方ブレードが開こうとしても鞘で抑えられるので、本鋏の非使用時において、本鋏をコンパクトにしておくことができる。
【考案の効果】
【００１７】
本考案のカッター機能付き鋏は、請求項１の考案にあっては、一方ブレードの基端部及び他方ブレードの基端部の何れかに、回動軸が回動可能に軸支される軸受孔と、軸受孔に連設され閉位置において一方鋏体を他方鋏体に対して一方鋏体の長手方向に沿って後退位置から進出位置に相対的に進出移動可能にする回動軸が通過可能な長孔とを形成し、一方鋏体の進出位置で一方鋏体の一方刃の先端部を他方鋏体の他方刃の先端部より突出させて露出させるようにしたので、長孔を加工して一方鋏体を他方鋏体に対して進出させる簡易な構成でカッター機能を付与できるようになることから、構造を極めて簡単にすることができ、製造コストを低減させることがでできる。また、一方鋏体を他方鋏体に対して進出させる簡易な操作でカッター機能を付与できるので、操作性も向上させることができる。
【００１８】
また、請求項２の考案にあっては、回動軸を、一方鋏体の進出移動方向に沿う方向の大径部と、一方鋏体の進出移動方向に直交する方向の小径部とを備えて構成し、軸受孔を、大径部が回動可能になる形状に形成し、長孔を、大径部の通過を阻止し小径部の通過を許容する形状に形成したので、回動軸が長孔を通過できるのは、一方柄が閉位置にある状態で可能になる。
そのため、一方柄及び他方柄の開閉過程では、一方鋏体を他方鋏体に対して進出移動させようとしても回動軸の大径部が長孔に入り込まないので、一方鋏体が進出移動することがなく、その結果、安定した鋏切り運動を行わせることができる。
【００１９】
更に、請求項３の考案にあっては、軸受孔に、一方柄及び他方柄の所定の開位置で回動軸の小径部に衝止し一方柄及び他方柄の開動作を停止させるストッパを形成したので、鋏として用いるときにおいて、スプリングの付勢力によって、一方柄及び他方柄は開動作を行うが、所定の開位置で回動軸の小径部がストッパに衝止し、一方柄及び他方柄の開動作が停止させられることから、一方ブレード及び他方ブレードが開きすぎることがなく、そのため、鋏切り運動を円滑に行わせることができる。
【００２０】
更にまた、請求項４の考案にあっては、係合部と被係合部との係合及び係合解除によりロック及びロック解除を行うようにしたので、ロック機構の構造を簡易にすることができる。
【００２１】
また、請求項５の考案にあっては、一方柄及び他方柄の係合部及び被係合部の形成部位を閉位置で互いに接合する樹脂で形成し、係合部を、脚部とフックとを備えて構成し、被係合部を、一方鋏体の後退位置で係合部が没入する凹部と、一方鋏体の進出過程でフックが挿入される凹所と、一方鋏体の進出過程でフックとフックに対面する表面とで挾持される板部とを備えて構成したので、ロック機構の構造を簡易にすることができるとともに、ロックを確実に行うことができる。
【００２２】
更に、請求項６の考案にあっては、一方柄及び他方柄の互いに対面する何れか一方の表面に凸部を設け、何れか他方の表面に凸部をガイドするガイド凹部を設けたので、一方鋏体の進出過程で、凸部がガイド凹部にガイドされることから、進出移動をぐらつくことなく円滑に行うことができる。
【００２３】
更にまた、請求項７の考案にあっては、スプリングを、線状のばね部材で一体形成され、回動軸に巻回される支持部と、支持部から開方向に付勢された一対のアーム部とを備えて構成し、一方のアーム部の先端部を一方柄の回動軸側に形成した一方首部に長手方向に沿って移動可能に巻回し、他方のアーム部の先端部を他方柄の回動軸側に形成した他方首部に長手方向に沿って移動可能に巻回したので、一方鋏体の進出過程で、一方鋏体と他方鋏体とが相対的に進出方向にずれても、スプリングに無理な力がかかることがなく、動作を円滑に行わせることができる。
【００２４】
また、請求項８の考案にあっては、一方柄と他方柄との閉位置で、一方ブレード及び他方ブレードを覆う鞘を備えたので、スプリングの付勢力によって一方ブレード及び他方ブレードが開こうとしても鞘で抑えられることから、本鋏の非使用時において、本鋏をコンパクトにしておくことができる。
【図面の簡単な説明】
【００２５】
【図１】本考案に係るカッター機能付き鋏の一実施形態を示す分解斜視図である。
【図２】本考案に係るカッター機能付き鋏の一実施形態において、非使用時の状態を示す一部切欠き正面図である。
【図３】本考案に係るカッター機能付き鋏の一実施形態において、鋏として用いるときの状態を示す正面図である。
【図４】本考案に係るカッター機能付き鋏の一実施形態において、カッターとして用いるときの状態を示し、（ａ）は一部切欠き正面図、（ｂ）は背面図である。
【図５】本考案に係るカッター機能付き鋏の一実施形態において、回転軸と軸受孔及び長孔との関係を示す要部拡大断面図であり、（ａ）は鋏として用いるときの閉時の状態を示す図、（ｂ）は鋏として用いるときの開時の状態を示す図、（ｃ）はカッターとして用いるときの状態を示す図である。
【図６】本考案に係るカッター機能付き鋏の一実施形態における変形例を示す分解斜視図である。
【考案を実施するための形態】
【００２６】
以下、添付図面に基づいて、本考案の実施の形態に係るカッター機能付き鋏について詳細に説明する。
図１乃至図５に示すように、本考案の実施の形態に係るカッター機能付き鋏Ｓは、一方刃１１が形成された一方ブレード１２に一方柄１３を連設した一方鋏体１０と、他方刃２１が形成された他方ブレード２２に他方柄２３を連設した他方鋏体２４とを備えて構成されている。
一方ブレード１２及び他方ブレード２２は、例えば、ステンレスなどの金属製の板状に形成されている。一方ブレード１２の基端部１４及び他方ブレード２２の基端部２４は、回動軸３０により回動可能に軸支されている。一方柄１３は、断面略矩形状で棒状の樹脂製本体１５と、本体１５が設けられ一方ブレード１２の基端部１４から一体に延びる棒状の金属製の一方首部１６とから構成されている。
他方柄２３は、断面略矩形状で棒状の樹脂製本体２５と、本体２５が設けられ他方ブレード２２の基端部２４から一体に延びる棒状の金属製の他方首部２６とから構成されている。
【００２７】
そして、本考案の実施の形態に係るカッター機能付き鋏Ｓは、一方柄１３及び他方柄２３を開閉させることにより一方ブレード１２及び他方ブレード２２を開閉させて一方刃１１及び他方刃２１による鋏切り運動を行わせるとともに、一方柄１３と他方柄２３との閉位置Ｘで一方刃１１の先端部１７を他方刃２１の先端部２７から露出させてカッター刃Ｃ（図４）とし、カッターとして使用可能にしてある。
【００２８】
詳しくは、回動軸３０は、その一端３１が、一方ブレード１２の基端部１４及び他方ブレード２２の基端部２４の何れか一方（実施の形態では一方ブレード１２の基端部１４）にカシメにより固定されている。また、一方ブレード１２の基端部１４及び他方ブレード２２の基端部２４の何れか他方（実施の形態では他方ブレード２２の基端部２４）に、回動軸３０が回動可能に軸支される軸受孔３３と、軸受孔３３に連設され閉位置Ｘにおいて一方鋏体１０を他方鋏体２４に対して一方鋏体１０の長手方向に沿って後退位置Ｒ１（図２）から進出位置Ｒ２（図４）に相対的に進出移動可能にする回動軸３０が通過可能な長孔３４とが形成されている。
これにより、一方鋏体１０の進出位置Ｒ２で一方鋏体１０の一方刃１１の先端部１７が他方鋏体２４の他方刃２１の先端部２７より突出させて露出させられる。この一方刃１１の先端部１７がカッター刃Ｃとして機能させられる。
【００２９】
回動軸３０は、図５に示すように、一方鋏体１０の進出移動方向に沿う方向の大径部３５と、一方鋏体１０の進出移動方向に直交する方向の小径部３６とを備えて構成されている。そして、軸受孔３３は、大径部３５が回動可能になる形状に形成され、長孔３４は、大径部３５の通過を阻止し小径部３６の通過を許容する形状に形成されている。
【００３０】
また、軸受孔３３には、一方柄１３及び他方柄２３の所定の開位置で回動軸３０の小径部３６に衝止し一方柄１３及び他方柄２３の開動作を停止させるストッパ３７が形成されている。例えば、一方柄１３及び他方柄２３の最大開度θ（一方刃１１と他方刃２１との最大開度）が６５°〜７５°程度に設定されている。
【００３１】
更に、実施の形態に係るカッター機能付き鋏Ｓは、一方柄１３及び他方柄２３を閉位置Ｘから開方向に付勢するスプリング４０を備えて構成されている。スプリング４０は、線状のばね部材で一体形成され、回動軸３０の一方ブレード１２の基端部１４及び他方ブレード２２の基端部２４の何れか一方（実施の形態では他方ブレード２２の基端部２４）の外側端部に巻回される支持部４１と、支持部４１から開方向に付勢された一対のアーム部４２,４３とを備えて構成されている。
支持部４１は、回動軸３０の他端に設けられた大径の頭部３２によって抜け止めされている。一方のアーム部４２の先端部４４は、一方柄１３の回動軸３０側に形成した一方首部１６に長手方向に沿って移動可能に巻回され、他方のアーム部４３の先端部４５は、他方柄２３の回動軸３０側に形成した他方首部２６に長手方向に沿って移動可能に巻回されている。
【００３２】
更にまた、実施の形態に係るカッター機能付き鋏Ｓは、一方鋏体１０の後退位置Ｒ１でスプリング４０の付勢力による一方柄１３及び他方柄２３の開動作を許容し、一方鋏体１０の進出位置Ｒ２でスプリング４０の付勢力による一方柄１３及び他方柄２３の開動作を阻止するロック機構５０が備えられている。
このロック機構５０は、一方柄１３及び他方柄２３の何れか一方（実施の形態では他方柄２３）に設けられる係合部５１と、一方柄１３及び他方柄２３の何れか他方（実施の形態では一方柄１３）に設けられ、一方鋏体１０の進出位置Ｒ２で係合部５１に係合し後退位置Ｒ１で係合が解除される被係合部５２とを備えて構成されている。係合部５１の形成部位は他方柄２３の樹脂製本体２５に形成され、被係合部５２の形成部位は一方柄１３の樹脂製本体１５に形成されている。
【００３３】
詳しくは、係合部５１は、一方柄１３及び他方柄２３の互いに対面する何れか一方の表面（実施の形態では他方柄２３の表面）に突設された脚部５３と、脚部５３の先端に略直角に連設されるフック５４とを備えて構成されている。被係合部５２は、一方鋏体１０の後退位置Ｒ１で係合部５１が没入する凹部５５と、凹部５５に連続し一方鋏体１０の進出過程でフック５４が挿入される凹所５６と、凹所５６を覆い一方鋏体１０の進出過程でフック５４とフック５４に対面する表面とで挾持される板部５７とを備えて構成されている。
係合部５１と被係合部５２との係合及び係合解除によりロック及びロック解除を行うので、ロック機構５０の構造を簡易にすることができるとともに、ロックを確実に行うことができる。
【００３４】
また、一方柄１３及び他方柄２３の互いに対面する何れか一方（実施の形態では他方柄２３）の本体２５の表面には、凸部６０が設けられ、一方柄１３及び他方柄２３の互いに対面する何れか他方（実施の形態では一方柄１３）の本体１５の表面には、一方鋏体１０の後退位置Ｒ１及び進出位置Ｒ２間で凸部６０をガイドするガイド凹部６１が設けられている。
【００３５】
そしてまた、実施の形態に係るカッター機能付き鋏Ｓには、一方柄１３と他方柄２３との閉位置Ｘで、一方ブレード１２及び他方ブレード２２を覆う樹脂製の鞘７０が備えられている。
【００３６】
従って、実施の形態に係るカッター機能付き鋏Ｓを使用するときは、鞘７０を外して、以下のように用いる。
先ず、鋏として用いるときは、一方鋏体１０を他方鋏体２４に対して後退位置Ｒ１に位置させておく。常態時においては、図３に示すように、回動軸３０が軸受孔３３に軸支され、スプリング４０の付勢力によって一方柄１３及び他方柄２３が閉位置Ｘから開方向に付勢され、ロック機構５０はスプリング４０の付勢力による一方柄１３及び他方柄２３の開動作を許容するので、一方ブレード１２及び他方ブレード２２は開かれる。
この状態で、一方柄１３及び他方柄２３をスプリング４０の付勢力に抗して閉じ、スプリング４０の付勢力により開くことを繰り返すことにより、一方ブレード１２及び他方ブレード２２を開閉させて一方刃１１及び他方刃２１による鋏切り運動を行わせることができる。この場合、スプリング４０の付勢力により一方柄１３及び他方柄２３を開いて一方ブレード１２及び他方ブレード２２を開くことができるので、開動作を容易に行わせることができ、操作性が極めて良くなる。
【００３７】
また、この場合、回動軸３０を、一方鋏体１０の進出移動方向に沿う方向の大径部３５と、一方鋏体１０の進出移動方向に直交する方向の小径部３６とを備えて構成し、軸受孔３３を、大径部３５が回動可能になる形状に形成し、長孔３４を、大径部３５の通過を阻止し小径部３６の通過を許容する形状に形成したので、図５（ａ）（ｃ）に示すように、回動軸３０が長孔３４を通過できるのは、一方柄１３が閉位置Ｘにある状態で可能になる。
そのため、一方柄１３及び他方柄２３の開閉過程（図５（ｂ））では、一方鋏体１０を他方鋏体２４に対して進出移動させようとしても回動軸３０の大径部３５が長孔３４に入り込まないので、一方鋏体１０が進出移動することがなく、その結果、安定した鋏切り運動を行わせることができる。
【００３８】
更に、スプリング４０の付勢力によって、一方柄１３及び他方柄２３は開動作を行うが、図５（ｂ）に示すように、所定の開位置で回動軸３０の小径部３６がストッパ３７に衝止し、一方柄１３及び他方柄２３の開動作が停止させられることから、一方ブレード１２及び他方ブレード２２が開きすぎることがなく、そのため、鋏切り運動を円滑に行わせることができる。
【００３９】
次に、カッターとして用いるときは、一方柄１３及び他方柄２３をスプリング４０の付勢力に抗して閉じて閉位置Ｘに位置させる（図２の鞘７０のない状態）。この状態で、図４に示すように、一方鋏体１０を他方鋏体２４に対して進出位置Ｒ２に相対的に進出移動させる。この場合、回動軸３０を長孔３４が通過していき、一方鋏体１０の一方刃１１の先端部１７が他方鋏体２４の他方刃２１の先端部２７より突出させられて露出させられ、カッター刃Ｃとなる。この場合、一方鋏体１０の進出過程で、凸部６０がガイド凹部６１にガイドされることから、進出移動をぐらつくことなく円滑に行うことができる。
【００４０】
また、スプリング４０を、線状のばね部材で一体形成され、回動軸３０に巻回される支持部４１と、支持部４１から開方向に付勢された一対のアーム部４２,４３とを備えて構成し、一方のアーム部４２の先端部４４を一方柄１３の回動軸３０側に形成した一方首部１６に長手方向に沿って移動可能に巻回し、他方のアーム部４３の先端部４５を他方柄２３の回動軸３０側に形成した他方首部２６に長手方向に沿って移動可能に巻回したので、一方鋏体１０の進出過程で、一方鋏体１０と他方鋏体２４とが相対的に進出方向にずれても、スプリング４０に無理な力がかかることがなく、動作を円滑に行わせることができる。
【００４１】
更に、ロック機構５０により、スプリング４０の付勢力による一方柄１３及び他方柄２３の開動作が阻止される。この場合、一方柄１３及び他方柄２３の係合部５１及び被係合部５２の形成部位を閉位置Ｘで互いに接合する樹脂で形成し、係合部５１を、脚部５３とフック５４とを備えて構成し、被係合部５２を、一方鋏体１０の後退位置Ｒ１で係合部５１が没入する凹部５５と、一方鋏体１０の進出過程でフック５４が挿入される凹所５６と、一方鋏体１０の進出過程でフック５４とフック５４に対面する表面とで挾持される板部５７とを備えて構成したので、ロック機構５０の構造を簡易にすることができるとともに、ロックを確実に行うことができる。
【００４２】
そして、この状態において、一方柄１３及び他方柄２３を把持して、一方鋏体１０の一方刃１１の先端部１７をカッター刃Ｃとして使用する。このように、長孔３４を加工して一方鋏体１０を他方鋏体２４に対して進出させる簡易な構成でカッター機能を付与できるようにしたので、構造を極めて簡単にすることができ、製造コストを低減させることがでできる。また、一方鋏体１０を他方鋏体２４に対して進出させる簡易な操作でカッター機能を付与できるので、操作性も向上させることができる。
【００４３】
また、実施の形態に係るカッター機能付き鋏Ｓを使用しないときは、図２に示すように、鞘７０を被せる。この場合、一方柄１３と他方柄２３との閉位置Ｘで、一方ブレード１２及び他方ブレード２２を鞘７０で覆う。スプリング４０の付勢力によって一方ブレード１２及び他方ブレード２２が開こうとしても鞘７０で抑えられることから、本鋏をコンパクトにしておくことができる。
【００４４】
尚、前記実施の形態では、回動軸３０の一端を一方ブレード１２の基端部１４にカシメにより固定し、他方ブレード２２の基端部２４に、軸受孔３３と、軸受孔３３に連設され閉位置Ｘにおいて一方鋏体１０を他方鋏体２４に対して一方鋏体１０の長手方向に沿って後退位置Ｒ１から進出位置Ｒ２に相対的に進出移動可能にする回動軸３０が通過可能な長孔３４とを形成したが、必ずしもこれに限定されるものではなく、図６に示すように、回動軸３０の一端３１を他方ブレード２２の基端部２４にカシメにより固定し、一方ブレード１２の基端部１４に、軸受孔３３と、軸受孔３３に連設され閉位置Ｘにおいて一方鋏体１０を他方鋏体２４に対して一方鋏体１０の長手方向に沿って後退位置Ｒ１から進出位置Ｒ２に相対的に進出移動可能にする回動軸３０が通過可能な長孔３４とを形成してもよく、適宜変更して差支えない。
【００４５】
本考案は、上述した実施の形態に限定されず、当業者は、本考案の新規な教示及び効果から実質的に離れることなく、これら例示である実施の形態に多くの変更を加えることが容易であり、これらの多くの変更は本考案の範囲に含まれる。
【符号の説明】
【００４６】
Ｓ  カッター機能付き鋏
１０  一方鋏体
１１  一方刃
１２  一方ブレード
１３  一方柄
１４  基端部
１５  本体
１６  一方首部
１７  先端部
Ｃ  カッター刃
２０  他方鋏体
２１  他方刃
２２  他方ブレード
２３  他方柄
２４  基端部
２５  本体
２６  他方首部
２７  先端部
Ｘ  閉位置
３０  回動軸
３１  一端
３２  頭部
３３  軸受孔
３４  長孔
３５  大径部
３６  小径部
３７  ストッパ
４０  スプリング
４１  支持部
４２,４３  アーム部
４４,４５  先端部
Ｒ１  後退位置
Ｒ２  進出位置
５０  ロック機構
５１  係合部
５２  被係合部
５３  脚部
５４  フック
５５  凹部
５６  凹所
５７  板部
６０  凸部
６１  ガイド凹部
７０  鞘
【図１】
0003224490.tif 000003
【図２】
0003224490.tif 000004
【図３】
0003224490.tif 000005
【図４】
0003224490.tif 000006
【図５】
0003224490.tif 000007
【図６】
0003224490.tif 000008